(57)【要約】少なくとも１つの固定された壁部と、少なくとも２つの構成で動作可能である展開可能な壁部とを有する、ウォークインシャワーであって、少なくとも２つの構成は、すなわち、展開可能な壁部が、少なくとも３つの壁部の１つに隣接するように配置され、シャワーの出入り可能で開放された出入り口をそのままにしておく、第１のシャワー構成と、展開可能な壁部が、開放された出入り口を閉鎖および密封するように配置され、展開可能な壁の移動が、少なくとも一時的にある液体体積を保持する浴槽筐体を生成する、第２の浴槽構成とである、ウォークインシャワー。【選択図】図８
2015514445.tif 000002
【特許請求の範囲】
【請求項１】
成形された浴槽筐体を有さないウォークインシャワーであって、前記シャワーは、少なくとも１つの固定された壁部と、少なくとも２つの構成で動作可能である展開可能な壁部とを有し、前記少なくとも２つの構成は、すなわち、前記展開可能な壁部が、少なくとも３つの壁部の１つに隣接するように配置され、前記シャワーの開放された出入り口をそのままにしておく、第１のシャワー構成と、前記展開可能な壁部が、前記開放された出入り口を閉鎖および密封するように配置されて、浴槽が少なくとも一時的にある液体体積を保持するようになっている、第２の浴槽構成とである、ウォークインシャワー。
【請求項２】
少なくとも１つの固定された壁部と、少なくとも２つの構成で動作可能である展開可能な壁部とを有する、ウォークインシャワーであって、前記少なくとも２つの構成は、すなわち、前記展開可能な壁部が、少なくとも３つの壁部の１つに隣接するように配置され、前記シャワーの出入り可能で開放された出入り口をそのままにしておく、第１のシャワー構成と、前記展開可能な壁部が、前記開放された出入り口を閉鎖および密封するように配置され、前記展開可能な壁の移動によって、少なくとも一時的にある液体体積を保持する浴槽筐体を生成する、第２の浴槽構成とである、ウォークインシャワー。
【請求項３】
成形された浴槽筐体を有さない略長方形のウォークインシャワーであって、前記シャワーは、少なくとも３つの壁部と、少なくとも２つの構成で動作可能である展開可能な壁部とを有し、前記少なくとも２つの構成は、すなわち、前記展開可能な壁部が、前記少なくとも３つの壁部の１つに隣接するように配置され、前記シャワーの開放された出入り口をそのままにしておく、第１のシャワー構成と、前記展開可能な壁部が、前記開放された出入り口を閉鎖および密封するように配置されて、浴槽が少なくとも一時的にある液体体積を保持するようになっている、第２の浴槽構成とである、略長方形のウォークインシャワー。
【請求項４】
少なくとも３つの壁部と、少なくとも２つの構成で動作可能である展開可能な壁部とを有する、略長方形のウォークインシャワーであって、前記少なくとも２つの構成は、すなわち、前記展開可能な壁部が、前記少なくとも３つの壁部の１つに隣接するように配置され、前記シャワーの出入り可能で開放された出入り口をそのままにしておく、第１のシャワー構成と、前記展開可能な壁部が、前記開放された出入り口を閉鎖および密封するように配置され、前記展開可能な壁の移動によって、少なくとも一時的にある液体体積を保持する浴槽筐体を生成する、第２の浴槽構成とである、略長方形のウォークインシャワー。
【請求項５】
前記ウォークインシャワー内の床の高さが、前記ウォークインシャワーの外部の床の高さと略同一である、請求項１乃至４のいずれか一項に記載のウォークインシャワー。
【請求項６】
前記ウォークインシャワーの前記少なくとも１つの固定された壁部は、完全な高さの１つ以上の壁部を含み、前記展開可能な壁部は、部分的な高さの壁部である、請求項１乃至５のいずれか一項に記載のウォークインシャワー。
【請求項７】
前記展開可能な壁部は、固定軸の周りを蝶番式に動くかまたは旋回する、請求項１乃至６のいずれか一項に記載のウォークインシャワー。
【請求項８】
前記固定軸は、前記展開可能な壁が略水平に移動または回転することを可能にする略垂直であるか、または、前記展開可能な壁が略垂直に移動または回転することを可能にする略水平であるか、のいずれかである、請求項７に記載のウォークインシャワー。
【請求項９】
前記展開可能な壁は、ホイール、ロール、スライド、ランナー、トラック、ケーブルのいずれかのメカニズム、またはそれらの任意の組み合わせを有する、請求項１乃至８のいずれか一項に記載のウォークインシャワー。
【請求項１０】
前記展開可能な壁の移動を誘導するために１つ以上のトラックまたは誘導路を有する、請求項９に記載のウォークインシャワー。
【請求項１１】
前記展開可能な壁を前記閉鎖状態に少なくとも一時的に維持するためにキャッチまたはラッチを有する、請求項１乃至１０のいずれか一項に記載のウォークインシャワー。
【請求項１２】
前記浴槽構成において、前記浴槽内の水による水圧が前記展開可能な壁の前記密封を補助する、請求項１乃至１１のいずれか一項に記載のウォークインシャワー。
【請求項１３】
前記展開可能な壁が、取り外せるよう着脱可能に取り付けられる、請求項１乃至１２のいずれか一項に記載のウォークインシャワー。
【請求項１４】
ウォークインシャワーから浴槽筐体を生成する方法であって、少なくとも１つの固定された壁部と、展開可能な壁部とを有する、ウォークインシャワーを提供するステップと、前記展開可能な壁部を少なくとも３つの壁部の１つに隣接するように配置して、前記シャワーの出入り可能で開放された出入り口をそのままにしておくステップと、前記展開可能な壁部を展開して、前記開放された出入り口を閉鎖および密封し、展開可能な壁の移動によって、少なくとも一時的にある液体体積を保持する浴槽筐体を生成するステップとを含む、方法。
【請求項１５】
前記シャワーが、３つの固定された壁による略Ｕ字型であり、前記展開可能な壁が、展開時に前記浴槽筐体を画定する４つ目の壁を形成する、請求項１４に記載のウォークインシャワーから浴槽筐体を生成する方法。
【発明の詳細な説明】
【技術分野】
【０００１】
本発明は、シャワーおよび他の入浴装置に関し、特に、入浴筐体を生成するように変えられるシャワーに関する。
【背景技術】
【０００２】
シャワーとして使用できる有用な浴槽を提供する問題に対し試みられたさまざまな解決策を、図１〜図７に示す。
【０００３】
本発明者は、各ケースにおいて、提供されたデバイスが、予備成形された成形浴槽筐体を有する浴槽であり、なかには予備成形された筐体に入るために開閉され得るドアを有するものもあることに注目する。これらの実施形態の各々は、成形時に固定寸法を有する浴槽を生成する。
【０００４】
図１〜図３に示すデバイスは、「チューリップ型」浴槽と呼ばれる。図１に示すシャワーの前方の透明な部分は、下方に開いて、シャワーからの出入りを可能にし、また、図２に示すように浴槽を形成する。
【０００５】
図４および図５に示すデバイスは、図４に示す向きでは（下部の集水エリアを有する）浴槽として、図５に示す向きでは（集水エリアがフードを形成した）シャワーとして機能する、壁に取り付けられた回転デバイスである。
【０００６】
図６に示す構成は、閉じられたときにシャワースクリーンを形成するガラスドアが、成形された浴槽に提供された、浴槽／シャワー構成である。ドアは、シャワー構成での使用時にドアが開いているとシャワーの使用が妨げられるようにシャワー備品の前でスイングして開くので、シャワーとしての使用時にはドアが閉められなくてはならない。ドアはまた、デバイスが浴槽として使用される場合に閉じられ、既存の浴槽筐体を密封して、それが少なくとも部分的に水で満たされることを可能にする。
【０００７】
図７に示す構成は、ガラスのシャワースクリーンと、予備成形された閉塞部に入ることを可能にし、かつ浴槽が水で満たされ得るように予備成形された浴槽筐体を閉鎖する別個のドアが、成形された浴槽に提供された、浴槽／シャワー構成である。この構成では、ドアが内側に開くので、ドアを開けた状態でシャワーを動作させることが可能であり得るが、ドアが開いていれば単に水は漏れてしまうであろう。
【０００８】
従来技術の刊行物が本明細書で参照される場合、この参照は、その刊行物がオーストラリアまたは任意の他の国における技術での共通の一般的な知識の一部を形成する、との承認を構成するものではない、ということが明らかに理解されるだろう。
【発明の概要】
【発明が解決しようとする課題】
【０００９】
本発明は、上記欠点の少なくとも１つを少なくとも部分的に克服することも、消費者に有用なまたは商品上の選択を提供することもできる、ウォークインシャワーに関する。
【課題を解決するための手段】
【００１０】
上記に鑑み、本発明は一形態において、成形された浴槽筐体を有しないウォークインシャワーに広範に帰し、このシャワーは、少なくとも１つの固定された壁部と、少なくとも２つの構成で動作可能である展開可能な壁部とを有し、少なくとも２つの構成は、すなわち、展開可能な壁部が、シャワーの少なくとも１つの固定された壁部に隣接するように配置され、シャワーの開放された出入り口をそのままにしておく、第１のシャワー構成と、展開可能な壁部が、開放された出入り口を閉鎖および密封するように配置されて、浴槽が少なくとも一時的にある液体体積を保持するように生成される、第２の浴槽構成とである。
【００１１】
代替の形態において、本発明は、少なくとも１つの固定された壁部と、少なくとも２つの構成で動作可能である展開可能な壁部とを有する、ウォークインシャワーに帰し、少なくとも２つの構成は、すなわち、展開可能な壁部が、少なくとも３つの壁部の１つに隣接するように配置され、シャワーの出入り可能で開放された出入り口をそのままにしておく、第１のシャワー構成と、展開可能な壁部が、開放された出入り口を閉鎖および密封するように配置され、展開可能な壁の移動によって、少なくとも一時的にある液体体積を保持する浴槽筐体を生成する、第２の浴槽構成とである。
【００１２】
さらなる別の代替の形態において、本発明は、ウォークインシャワーから浴槽筐体を生成する方法に帰し、この方法は、少なくとも１つの固定された壁部と、展開可能な壁部とを有する、ウォークインシャワーを提供するステップと、展開可能な壁部を少なくとも３つの壁部の１つに隣接するように配置して、シャワーの出入り可能で開放された出入り口をそのままにしておくステップと、展開可能な壁部を展開して、開放された出入り口を閉鎖および密封し、展開可能な壁の移動によって、少なくとも一時的にある液体体積を保持する浴槽筐体を生成するステップとを含む。
【００１３】
さらなる形態において、本発明は、成形された浴槽筐体を有しない略長方形のウォークインシャワーに広範に帰し、このシャワーは、少なくとも３つの壁部と、少なくとも２つの構成で動作可能である展開可能な壁部とを有し、少なくとも２つの構成は、すなわち、展開可能な壁部が、少なくとも３つの壁部の１つに隣接するように配置され、シャワーの開放された出入り口をそのままにしておく、第１のシャワー構成と、展開可能な壁部が、開放された出入り口を閉鎖および密封するように配置されて、浴槽が少なくとも一時的にある液体体積を保持するように生成される、第２の浴槽構成とである。
【００１４】
さらなる別の形態において、本発明は、少なくとも３つの壁部と、少なくとも２つの構成で動作可能である展開可能な壁部とを有する、略長方形のウォークインシャワーに帰し、少なくとも２つの構成は、すなわち、展開可能な壁部が、少なくとも３つの壁部の１つに隣接するように配置され、シャワーの出入り可能で開放された出入り口をそのままにしておく、第１のシャワー構成と、展開可能な壁部が、開放された出入り口を閉鎖および密封するように配置され、展開可能な壁の移動によって、少なくとも一時的にある液体体積を保持する浴槽筐体を生成する、第２の浴槽構成とである。
【００１５】
本明細書において、「壁」という用語は、シャワーの境界を画定する機能も果たし得る浴室の壁に限定されるように意図されたものではなく、１つ以上のユニットから形成されるにせよそうでないにせよ、シャワーの１つ以上の境界を画定するために使用される、シャワースクリーン、パネル、または、任意の部材またはアセンブリを含む。
【００１６】
本発明のウォークインシャワーは特に、開放状態における展開可能な壁を有するシャワーとしての使用に適応する。さらに、本発明のウォークインシャワーがシャワー構成である場合、好ましくは、成形された浴槽筐体がないという点で可視の浴槽が存在しない。本発明は通常、最大で３つの壁と、体積を閉鎖して浴槽筐体を画定するように展開可能な壁である４つ目の壁と、を有するだろう。
【００１７】
展開可能な壁は典型的に、開放状態における場合（シャワーとして使用される場合）、シャワーエリア内に、またはシャワーエリアに隣接するように、配置される。これは典型的に、展開可能な壁の収納状態であり、シャワーは好ましくは、この配置における展開可能な壁とともに使用可能である。浴槽構成における場合、展開可能な壁がシャワーエリア内から浴槽構成へと展開するので、典型的には浴槽内の水による水圧が、展開可能な壁の密封を補助する。
【００１８】
展開可能な壁は、開放状態における場合（シャワーとして使用される場合）、シャワーエリアの外部に配置され得る。これは、展開可能な壁の典型的な収納状態であり、シャワーは好ましくは、この配置における展開可能な壁とともに使用可能である。ロックメカニズムが、展開可能な壁を開放または閉鎖位置のいずれにも固定するように使用され得る。
【００１９】
開放状態時（シャワーとしての使用時）に、展開可能な壁がシャワーエリア内に配置される場合、浴槽構成時には、展開可能な壁がシャワーエリア内から浴槽構成へと展開するので、浴槽内の水による水圧が典型的に、展開可能な壁の密封を補助する。ロックメカニズムがまた、展開可能な壁を開放または閉鎖位置のいずれにも固定するように使用され得る。
【００２０】
少なくとも１つの固定された各壁の下側の部分が、水密にするために密封されることが好ましい。典型的には、多数の固定された壁が提供され、これらは、浴室内の濡れるエリアを設置または完成する際に、一般的な慣習にならって互いに対しおよび／または床に対し密封されるだろう。展開可能な壁が１つ以上の固定された壁に対し密封されるか、または、他の提供された密封アセンブリに対して密封されるのみならず、少なくとも１つの固定された壁もまた一般的に、水を閉じ込めるための密封された体積を画定するために、他の壁および床に対し密封される。
【００２１】
［隔壁の上、下、または、上方の］棚または踏み段が提供され得るが、そうである場合、棚または踏み段は、シャワーがウォークインシャワーであることを可能にするために、好ましくは相対的に低い高さである。展開可能な壁を密封するための何らかの形態の高所構造を必要とせずに、シャワー／浴槽およびシャワー／浴槽の外部の床における一貫した高さの床を提供するための１つの可能な配置は、展開可能な壁の一部が密封のためにその中に受け入れられる密封くぼみまたは密封溝を提供することである。
【００２２】
上述したように、ウォークインシャワーは典型的に、多数の固定された壁、典型的には少なくとも３つの固定された壁を含む。代替の実施形態において、ウォークインシャワーエリアは、連続的にカーブした壁から形成されることができ、その場合、単一の固定された壁のみが提供され得る。本発明では、任意の個数の固定された壁が提供されることができ、固定された壁の個数による限定を意図しない。
【００２３】
各々の固定された壁は典型的に、略常設の壁であり、通常、もしあれば隣接する壁に対し、そして床に対し、密封される。固定された壁の少なくとも１つは、シャワースクリーンパネルであることも、それを含むこともできる。
【００２４】
固定された壁のいずれか１つ以上は、本発明のウォークインシャワーが配置される浴室そのものを画定する壁であることも、それを含むこともできる。上述したように、固定された壁部が成形された浴槽シェルを含まないことが好ましい。しかしながら、本発明のシャワーは、成形された筐体を含むことが可能であり、そうである場合には通常、筐体は、多数の固定された壁によって形成され、展開可能な壁が実際に展開された場合にのみ形成される。これらは、部分的に成形された浴槽エリアがその中に提供される成形された浴室の半完成品を含む本発明の実施形態であるが、この浴槽筐体はなおも、筐体を形成するために展開可能な壁を必要とし、それなしでは、浴槽エリアは単に、開放された４つ目の壁エリアを有する３つの壁の外観を有する。
【００２５】
本発明のウォークインシャワーの固定された壁部は、完全な高さの１つ以上の壁部または部分的な高さの壁部を含み得る。
【００２６】
任意の材料が、本発明の固定された壁部を形成するために使用され得る。さらに、異なる壁は、異なる材料から形成されることができ、たとえば、シャワースクリーン壁部が提供される場合には、この壁部は、不透明、一部または全部が透明であることができ、たとえば、（強化または安全）ガラス、アクリル、ポリカーボネート材料、または、同様の外見、機能、および安全品質を示す他の材料から製造されることができる。
【００２７】
固定された壁部（および展開可能な壁）が略平面であることがまた好ましい。さらに、固定された壁部が、壁と床との間の弓なりの遷移ゾーンを有するよりも、ある角度をなして（好ましくは略垂直に）、互いに、そしてウォークインシャワーの床と、交わることが好ましい。いくつかの実施形態では、特に、人が浴槽位置において弓なりに傾斜した壁に寄り掛かれるよう、弓なりの遷移が提供され得る。この弓なりの壁は、棚板として使用されることもできる。
【００２８】
好ましい実施形態のシャワーは、浴槽構成における場合に使用される、固定された壁のいずれか１つ以上における１つ以上のスパジェットを含み得る。
【００２９】
シャワーはまた、浴槽としての使用時に展開され得る、好ましくは、固定された壁、棚板、または展開可能な壁に隠された、着座メカニズムを提供し得る。あるいは、ユーザは、外付けの座面を使用することができ、または、常設展開された座面として使用される棚板を浴槽内で使用することができる。
【００３０】
本発明のウォークインシャワーは、２つの構成で動作可能である展開可能な壁部を含む。展開可能な壁部は、任意の方向に、そして、壁部が２つの構成を呈することを可能にするように機能する任意のメカニズムを使用して展開し得る。好ましいメカニズムは、蝶番、ホイール、スライド、転がり、ランナー、トラック、ケーブル、のいずれかのメカニズム、および、任意の方向の旋回メカニズムを含む。
【００３１】
第１の好ましい実施形態によると、展開可能な壁部は、固定軸の周りを蝶番式に動くかまたは旋回し得る。この軸は、展開可能な壁が略水平に移動（または回転）することを可能にする略垂直であり得るか、またはあるいは、この軸は、展開可能な壁が略垂直に移動（または回転）することを可能にする略水平であり得る。
【００３２】
略垂直な軸のために、取り付け部材が通常、固定された壁部および／または展開可能な壁部上に提供される。好ましくは、取り付け部材は、展開可能な壁が固定された壁部に対し移動させられることを可能にする、蝶番または旋回メカニズムを提供されるか、またはそれを含む。取り付け部材はまた、好ましくは、壁部が透明な場合に特に重要であり得る、固定された壁部の縁端の場所を視覚的に識別するものを提供する。この取り付け部材はまた、展開可能な壁を密封する目張りを取り付ける。
【００３３】
好ましくは、取り付け部材は、固定された壁部と展開可能な壁部との縁端上に、または、同縁端に隣接するように、提供される。
【００３４】
使用時に、展開可能な壁部は好ましくは、ウォークインシャワーがシャワー構成である場合、展開可能な壁部がそこからスイングする固定された壁部に対し、平行かつ密接な間隔で、または衝合するように、かつ、シャワー内にあるように、位置する。これは典型的に、シャワーの使用のために利用可能なスペースを最大化し、展開可能な壁のためのスペースの要求を最小化する。
【００３５】
展開可能な壁は典型的に、側壁のまたは端壁の終端部からスイングする。
【００３６】
展開可能な壁が、シャワー筐体の固定された壁の１つに典型的に取り付けられる、シャワー、および、浴槽の金物類、または、シャワーの外部に配置される、装備品および付属品、配管エレメント、トイレ、キャビネット、または洗面台といった、アイテムを妨害することなく、開放および閉鎖状態間およびその逆でシャワーエリアの内側または外側にスイングするために、十分な空間（Ｃｌｅａｒａｎｃｅ）が提供されることが重要である。
【００３７】
展開可能な壁がシャワー構成である場合、展開可能な壁は典型的に、シャワーエリアの内側で、固定された壁に対して配置されるので、この形態における場合、展開可能な壁は「開放」されており、シャワーが使用され得る。この構成は、「閉鎖」状態にある展開可能な壁の密封を補助するために、その構成での使用時に浴槽内の水の重量によって生み出される圧力の使用を可能にする。
【００３８】
他の実施形態では、展開可能な壁は、シャワーの外部に配置されることができ、シャワー筐体の外部に、スイング、旋回、スライドし、または回転することができる。
【００３９】
第２の好ましい実施形態によると、展開可能な壁は、ホイール、ロール、スライド、ランナー、トラック、ケーブルメカニズム、またはそれらの任意の組み合わせと共に提供され得る。重ねて、展開可能な壁は、既存の固定された壁に対してまたは既存の固定された壁と密接な間隔で、シャワー筐体の内側または外側に収納され得るか、または、防護壁または同等物となるようにシャワー筐体の上部に配置され得る。
【００４０】
この収納状態からの展開は通常、浴槽構成を形成および生成するために、シャワーキュービクル（Ｓｈｏｗｅｒ  ｃｕｂｉｃｌｅ）の開放された出入り口を閉鎖するために、必要とされるだろう。
【００４１】
いくつかのケースでは、展開可能な壁は、浴槽の１つの完全な側面を形成することができ、またはあるいは、展開可能な壁は単に、シャワーまたは浴槽の側面内に提供された開口を閉鎖し得る。
【００４２】
典型的には、ホイール、ローラー、スライド、またはトラック部材が、展開可能な壁の容易な移動を可能にするために提供される。好ましい実施形態では、１つ以上のローラーまたはホイールが、シャワーの床面および壁面上を転がることができ、および／または、トラックが提供され、壁面上に提供された対応する誘導路と係合する。許容誤差が十分に精確である場合、展開可能な壁は、任意の誘導メカニズムを必要とするよりもむしろ、床および壁に対し単に転がるだけの展開可能な壁の側部および基部上のホイールを有すものとしうる。
【００４３】
代替の好ましい実施形態では、１つ以上のローラー、ホイールが、シャワーおよび壁面上を転がることができ、および／または、トラックが提供され、床および／または壁面内に提供された対応する誘導路と係合する。許容誤差が十分に精確である場合、展開可能な壁は、任意の誘導メカニズムを必要とするよりもむしろ、床および壁に対し単に転がるだけの展開可能な壁の側部および基部上のホイールを有すものとしうる。
【００４４】
代替の好ましい実施形態では、１つ以上のローラーまたはホイールは、床および／または壁面上または床および／または壁面内に提供された、隆起した舌状のものの上に乗るために、円周溝と共に提供されうる。これらの代替の実施形態の各々において、展開可能な壁の移動は好ましくは、移動中のまたは密封のための展開可能な壁のズレを最小化または防止するための、誘導された移動である。
【００４５】
１つ以上のホイール、ローラー、スライド、またはトラック部材が、展開可能な壁の上側および／または下側の領域に提供され得る。さらに、１つ以上のローラーまたはスライド部材は、展開可能な壁の移動のバランスをとるために、展開可能な壁の各端または側面に提供され得る。
【００４６】
この実施形態において、展開可能な壁は、好ましくは浴槽筐体の側面全体であるので、典型的には、浴槽構成へと移動した場合、浴槽筐体を生成するだろう。展開可能な壁の移動前には、典型的には筐体は一切なく、単に、多数の固定された壁部、および、固定された壁部の１つに対する収納位置にある展開可能な壁があるのみである。この位置では、展開可能な壁は、固定された壁部に対しカモフラージュされることができ、審美的な理由のために容易に見ることも識別することも困難であり得る。あるいは、展開可能な壁は、シャワー筐体と同様の材料のものであるか、透明（たとえば、ガラスまたはプラスチック）であるか、または、特徴を形成するためにまったく異なることができ、シャワーエリアの一部として識別されるように、固定された壁部に対して密接するように配置され得る。典型的には、展開可能な壁は、展開可能な壁がガラスまたは同様の外見および機能の材料でない限り、タイルのような貼付された覆いを有しうる。展開可能な壁はまた、覆いを有するまたは有しない、プラスチック成形された壁であることもできる。
【００４７】
展開可能な壁はまた、回転する態様とスライドする態様の両方を含む手法で移動することができる。たとえば、シャワーにシャワースクリーン部材および隣接する開口が提供される場合、シャワースクリーンが、展開可能な壁として使用されることができ、好ましい移動は、横方向にシャワースクリーンをスライド／旋回させながら、シャワースクリーンとしての使用時と同一平面内の１つのコーナーを中心にしてシャワースクリーンを回転させて、通常時には垂直である縁端を略水平に配置し、シャワースクリーンの通常位置から９０°の位置にシャワースクリーンをポジショニングして、シャワー筐体の側面を密封することであり得る。
【００４８】
１つ以上の誘導装置が、本発明のウォークインシャワーの固定された壁および／または展開可能な壁の上に提供され得る。
【００４９】
展開可能な壁は典型的に、筐体を形成および閉鎖する筐体の側面を形成しうる。
【００５０】
展開可能な壁は、展開可能な壁とともに移動する、柔軟膜または同等物と結合され得る。通常、膜が提供される場合、展開可能な壁が浴槽構成に移動させられると、膜は典型的に、浴槽筐体を形成するために、液体を保持する体積を画定する。膜が提供される場合、これは典型的に、浴槽構成の密封を単純化する。
【００５１】
シャワーの固定された側壁はまた、特に（展開可能な壁とともに展開可能な）膜が提供されない場合、少なくとも浴槽の高さまで防水加工されるべきである。壁と床との間を密封するために提供される、成形された防水加工部分が存在し得る。さらに、成形された防水加工部分は、壁および／または床の、内側を向いた表面を防水加工するように提供され得る。
【００５２】
典型的に膜は、提供される場合、浴槽を形成するのに適した高さのところで、固定された壁および展開可能な壁の両方の一部に接着されうる。好ましくは、膜は、シャワー構成における場合に最小のスペースを占有し、見えないように隠されるために、浴槽からシャワー構成への移動中に折り畳まれるか変形させられうる。
【００５３】
１つの好ましい態様において、膜は、固定された壁部または展開可能な壁部のいずれかの中に収納されることができる。拡張および収縮メカニズムが、膜の拡張および収縮を単純化するために提供されることができ、好ましくは、このメカニズムは、収縮位置にバイアスされうるが、少なくとも一時的に拡張状態にロックされることができる。
【００５４】
本発明の固定されたおよび／または展開可能な壁は、任意のタイプまたは構成のものであり得る。たとえば、壁は、無垢のもの、中空のもの、化粧されたものであり得るか、または単に、透明または不透明な（強化）ガラス、または、同様の外見を提供するかまたは同様の機能を実行する他の材料（たとえば、アクリル、ポリカーボネート、またはプラスチック）であり得る。
【００５５】
典型的には、透明でない壁によってまたはその中には、より多くのコンポーネントまたはメカニズムが隠されるか覆い隠されることができるので、さらなる許容範囲またはオプションに、透明でない壁が提供される。
【００５６】
壁の１つ以上が透明な材料から製造される場合には、本発明の一部として提供される任意のコンポーネントは通常、透明な壁に接着または結合された取り付け部材および／または密封部材上に提供されうる。多くのユーザは審美的な目的で透明な壁を選ぶので、これは典型的には、透明な壁を、ほぼ遮られないままにしておく。
【００５７】
中空の壁が提供される場合、通常、壁は、フレームに貼付された適切な覆いを有するフレームから形成されうる。このフレームは、互いに接合された多数のフレーム部材から形成されることもできるし、またはあるいは、成形によって形成されたもののような一体のフレームが提供されることもでき、覆われることもそうでないこともできる。典型的には、適切な覆いの１つの層は、審美的な仕上げを提供するためだけでなく、可能な限りしっかりと壁を防水加工するためにも、（さまざまな材料、たとえば、セラミックまたはガラス、等の）タイル、または同等の覆いであるだろう。さらなる防水加工の目張りが、タイルまたは覆いの下に提供されることができ、および／または、壁そのものが、適切に密封された接合箇所を有するプラスチックのような防水加工材料であることができる。
【００５８】
この構成はまた典型的に、展開可能な壁の取り付け器具に、その移動を容易にすることを可能にしうる。さらに、提供される覆いが、もしあれば、ウォークインシャワーの残りのものに対し展開可能な壁をカモフラージュするために使用されることができる。あるいは、カモフラージュは、展開可能な壁を浴槽筐体の別の部分として形成するために、同一の材料を使用することによって提供されることができる。
【００５９】
展開可能な壁は、開放状態または閉鎖状態からの偶発的であるが決定されたものではない移動を防止するために、開放または閉鎖状態のいずれかで固定されることができ、それによって、浴槽またはシャワー構成のいずれかを形成する。
【００６０】
展開可能な壁の手動による移動が好ましいが、その移動は、移動メカニズムを使用して自動化され得るかまたは駆動可能にされ得る。
【００６１】
適切な密封が、浴槽構成での使用時に閉鎖状態で展開可能な壁を密封するために提供されうる。上述したように、この密封は、浴槽構成における場合の水圧によって補助されることができ、また、ロックメカニズムを有することもできる。通常、使用される目張りは、シリコン材料であるが、ゴム、または代用のまたは任意の曲げやすいまたは弾力のある材料といった、目張りを形成するための任意の適切な材料が使用され得る。
【００６２】
特に、キャッチまたは同様のメカニズムが、展開可能な壁を閉鎖状態に少なくとも一時的に維持するために提供されることが好ましい。典型的には、キャッチまたは同様のメカニズムは、キュービクル内の液体の重量が、展開可能な壁を定位置に密封するのに十分な力を発揮するだけでなく、展開可能な壁の偶発的な移動を防止するために展開可能な壁を閉鎖状態に維持するのにも、十分な量になるまで、特に、浴槽構成においてキュービクルを満たし始めるときに、展開可能な壁を密封状態へと促す。
【００６３】
キャッチまたは同様のメカニズムは任意のタイプのものであることができ、２つ以上のキャッチまたは同様のメカニズムが提供されることができる。キャッチまたは同様のメカニズムは、ロック機能だけでなく、キャッチまたはラッチ機能を含み得る。たとえば、キャッチまたは同様のメカニズムは、ローラーキャッチまたはボールキャッチ、スプリングローラーキャッチ、磁気キャッチまたは電磁気キャッチ、カムキャッチ、コンプレッションキャッチまたはテンションキャッチ、または、何らかの形態の掛け金メカニズムを有するキャッチを含み得る。
【００６４】
特に好ましい実施形態において、ラッチまたはキャッチは、固定されたまたは展開可能な壁または密封隔壁の縁端の一部を受け入れる収斂開口をその中に有する略Ｕ字型の本体を含み得、収斂開口は、自己配置およびアラインメントだけでなく、ラッチおよび／または密封をも補助する。使用時に、収斂開口は、より安全なキャッチメカニズムを生成するためにラッチ中に圧縮を受ける弾性部であり得るか、またはそれを含み得る。
【００６５】
スパジェット、溢れ出た水の排出弁、座面またはベンチといったアクセサリが、本発明のウォークインシャワーの壁のいずれか１つ以上において提供され得る。特に、座面またはベンチが提供される場合、座面またはベンチは、シャワー内のスペースを最大化しつつも、所望の場合に座面またはベンチが使用されることを可能にするために、しまい込むことができるものであり、かつ必要に応じて使用状態に展開可能であることが好ましい。しかしながら、所望の場合には、固定されたベンチまたは座面が提供され得る。
【００６６】
本明細書に説明される特徴のいずれも、本発明の範囲内で、本明細書に説明される他の特徴のいずれか１つ以上と任意に組み合わせられることができる。
【００６７】
本明細書における任意の従来技術の参照は、その従来技術が共通の一般的な知識の一部を形成する、との承認でも任意の形態の示唆でもなく、そのようなものと考えられるべきではない。
【００６８】
本発明のさまざまな実施形態が、以下の図面に関連して説明される。
【図面の簡単な説明】
【００６９】
【図１】図１は、従来技術の組み合わせの浴槽およびシャワーの想像図である。
【図２】図２は、浴槽構成における図１に示した組み合わせの浴槽およびシャワーの側面図である。
【図３】図３は、シャワー構成における図１に示した組み合わせの浴槽およびシャワーの側面図である。
【図４】図４は、浴槽構成において浴槽およびシャワーの両方として使用され得る回転可能なデバイスの正面図である。
【図５】図５は、シャワー構成における図４に示したデバイスの正面図である。
【図６】図６は、従来技術の浴槽およびシャワーの組み合わせの軸測投影図である。
【図７】図７は、さらなる別の従来技術の浴槽およびシャワーの組み合わせの写真である。
【図８】図８は、水平に旋回する展開可能な壁とともに垂直な蝶番を有する、シャワー構成における本発明の第１の好ましい実施形態のウォークインシャワーの側面図である。
【図９】図９は、浴槽の実施形態におけるものであるが、代替の展開可能な壁の構造を有する、図８に示したウォークインシャワーを描画した側面図であり、矢印がシャワー構成を呈するための展開可能な壁の移動の１つの可能な方向を示している図である。
【図１０】図１０は、シャワーの実施形態における図８に示したウォークインシャワーを描画した側面図である。
【図１１】図１１は、展開可能な壁の移動の別の可能な方向を示す、図８に示したウォークインシャワーを上部から見た図である。
【図１２】図１２は、展開可能な壁の移動のさらなる可能な方向を示す、図８に示したウォークインシャワーを上部から見た図である。
【図１３】図１３は、展開可能な壁の移動のさらなる別の可能な方向を示す、図８に示したウォークインシャワーを上部から見た図である。
【図１４】図１４は、シャワー構成における本発明のウォークインシャワーの第２の可能な好ましい実施形態の側面図である。
【図１５】図１５は、浴槽構成における好ましい実施形態に係る図１４に示したウォークインシャワーを描画した図である。
【図１６】図１６は、浴槽構成における代替の実施形態に係る図１４に示したウォークインシャワーを描画した図である。
【図１７】図１７は、シャワー構成における図１５に示したウォークインシャワーを描画した図である。
【図１８】図１８は、展開可能な壁の移動を示す、図１４に示した好ましい実施形態を上部から見た図である。
【図１９】図１９は、シャワー構成における展開可能な壁の位置を示す、図１４に示した好ましい実施形態を上部から見た図である。
【図２０Ａ】図２０Ａは、展開可能な壁が垂直に移動し、展開可能な壁が高所位置にある、代替の実施形態を正面から見た模式的な立面図である。
【図２０Ｂ】図２０Ｂは、展開可能な壁が垂直に移動し、展開可能な壁が下げられた位置にある、代替の実施形態を正面から見た模式的な立面図である。
【図２１】図２１は、浴槽の実施形態における図８に示したウォークインシャワーを描画した側面図であり、矢印が展開可能な壁を着脱するための展開可能な壁の移動の１つの可能な方向を示している図である。
【図２２】図２２は、展開可能な壁の提案された移動を示す、本発明の好ましい形態に係るウォークインシャワーの代替の実施形態の平面図である。
【図２３】図２３は、シャワー構成における図２２に示したウォークインシャワーを正面から見た立面図である。
【図２４】図２４は、浴槽構成における図２２に示したウォークインシャワーを正面から見た立面図である。
【図２５】図２５は、収納および部分的な展開位置を示す、本発明の態様に係る可能なドア構成の模式的な平面図である。
【図２６Ａ】図２６Ａは、収納位置を示す、本発明の態様に係るさらなる可能なドア構成の模式的な平面図である。
【図２６Ｂ】図２６Ｂは、部分的な展開位置を示す、本発明の態様に係るさらなる可能なドア構成の模式的な平面図である。
【図２６Ｃ】図２６Ｃは、展開位置を示す、本発明の態様に係るさらなる可能なドア構成の模式的な平面図である。
【図２７】図２７は、本発明に係るウォークインシャワーのさらなる代替の実施形態を示す図である。
【発明を実施するための形態】
【００７０】
特に好ましい実施形態では、成形された浴槽筐体を有しないウォークインシャワーが提供される。
【００７１】
図８〜図２７に示す好ましい実施形態の各々において、ウォークインシャワーは、成形された浴槽筐体を有しない略長方形のシャワーエリアであり、このシャワーエリアは、少なくとも３つの固定された壁部１１と、少なくとも２つの構成で動作可能である展開可能な壁部１２とを有し、少なくとも２つの構成は、すなわち、展開可能な壁部１２が、少なくとも３つの固定された壁部１１の１つに隣接するように配置され、シャワーエリアの開放された出入り口１３をそのままにしておく、第１のシャワー構成と、展開可能な壁部１２が、開放された出入り口１３を閉鎖および密封するように配置されて、浴槽が少なくとも一時的にある液体体積を保持するように生成される、第２の浴槽構成とである。
【００７２】
図示されているように、部分的な筐体を画定する多数の固定された壁が提供され、これらは、浴室の濡れるエリアを設置または完成する際に、一般的な慣習にならって互いに対しおよび床に対し密封される。
【００７３】
シャワーエリアがウォークインシャワーであることを可能にするために相対的に低い高さである、密封の目的で提供された隔壁、棚、踏み段、または隔壁１４が、図示された各々の実施形態において提供される。
【００７４】
各々の固定された壁１１は、略常設の壁である。図８〜図１３に示すように、固定された壁の１つは、透明にせよそうでないにせよ、シャワースクリーンパネルであることができる。
【００７５】
固定された壁のいずれか１つ以上は、本発明のウォークインシャワーがその中に配置される浴室そのものを画定する壁であることができる。
【００７６】
図１７〜図１９に示すウォークインシャワーの固定された壁部は、隣接するトイレエリアを画定する、完全な高さの壁部および部分的な高さの壁部１１を含む。
【００７７】
任意の材料が、本発明の固定された壁部を形成するために使用され得る。たとえば、図８〜図１３に示す好ましい実施形態の異なる固定された壁部は、シャワーエリアを画定する、前方の透明なシャワースクリーン壁部および３つの他のタイル状の壁を含む。タイル状の壁は通常、薄板部材が貼付され、防水加工され、そしてタイル状にされた、コンクリート壁、木または金属のフレームである。
【００７８】
展開可能な壁部は、任意の方向に、そして、壁部が２つの構成を呈することを可能にするように機能する任意のメカニズムを使用して、展開し得る。好ましいメカニズムは、蝶番、ホイール、スライド、ロール、ランナー、トラック、およびケーブルメカニズム、および旋回メカニズムを含む。たとえば、図１２における展開可能な壁は、その移動を容易にするために、通常、トラックまたは誘導装置だけでなく、ホイール、ベアリング、または同等物が提供される、スライドする壁である。
【００７９】
図８〜図１１および図１３に示す第１の好ましい実施形態によると、展開可能な壁部１２は、固定軸の周りを蝶番式に動くかまたは旋回する。この軸は、展開可能な壁１２が図１１〜図１３に示すように略水平に移動（または回転）することを可能にする略垂直であり得るか、またはあるいは、この軸は、展開可能な壁１２が図９に示すように略垂直に移動（または回転）することを可能にする略水平であり得る。図９に示す構成では、蝶番ポイントが、取り付け部材１５の上部、またはあるいは、取り付け部材１５の底部に、提供され得る。図９におけるいくつかの構成では、展開可能な壁は、隣接する固定された壁からオフセットされなくてはならない。
【００８０】
図８、図１０、図１１、および図１３に示す略垂直軸のために、取り付け部材１５が、展開可能な壁１２が固定された壁部１１に対し移動させられることを可能にする蝶番または旋回メカニズムによって、固定された壁部１１上に、そしてまた、展開可能な壁部１２上にも、提供され得る。取り付け部材１５はまた、好ましくは、壁部が透明な場合に特に重要であり得る、固定された壁部１１の縁端の場所に対する視覚的な手掛かりを提供しうる。
【００８１】
展開可能な壁部１２は、図８、図１０、図１１、および図１３に示すように、ウォークインシャワーがシャワー構成である場合、展開可能な壁部がそこからスイングする固定された壁部１１に対し、平行かつ密接な間隔で、または衝合するように位置する。
【００８２】
展開可能な壁は、図１３に示すように側壁の終端部から、または、図１１に示すように端壁の終端部から、スイングし得る。展開可能な壁が、典型的にはシャワー筐体の固定された壁の１つに取り付けられる、シャワー、および、浴槽の金物類、またはシャワー筐体の外部の他の装備品および付属品を妨害することなく、開放および閉鎖状態間およびその逆でシャワー筐体の内側または外側にスイングするために、十分な空間が提供されることが重要である。
【００８３】
図８および図１０に示すように、展開可能な壁１２がシャワー構成である場合、展開可能な壁１２は典型的に、いくつかの従来技術の構成のごとくシャワーの金物類１６を妨害することなく、シャワーエリアの内側で（外側であることもできる）、固定された壁１１に対して配置されるので、この形態における場合、壁が「開放」され、シャワーが使用され得る。
【００８４】
図１２および図１４〜図２０Ｂに示す第２の好ましい実施形態によると、展開可能な壁１２は、ホイール、スライド、ロール、またはトラックメカニズムを提供され得る。重ねて、展開可能な壁１２は好ましくは、既存の固定された壁１１に対してまたは既存の固定された壁１１と密接な間隔で、シャワー構成内に（外であることもできる）収納される。
【００８５】
この収納状態からの展開は通常、浴槽構成を形成するためにシャワーエリアからの開放された出入り口を閉鎖するために、必要とされるだろう。
【００８６】
いくつかのケースにおいて、展開可能な壁１２は、図１４〜図２０Ｂに示すように、浴槽の１つの完全な側面を形成し得るが、またはあるいは、展開可能な壁１２は単に、図１２に示すように、シャワーまたは浴槽の側面内に提供された開口を閉鎖し得る。
【００８７】
典型的には、ホイール、ローラー、スライド、またはトラック部材が、展開可能な壁の容易な移動を可能にするために提供される。
【００８８】
１つ以上の誘導装置が、本発明のウォークインシャワーの固定された壁および／または展開可能な壁上に提供され得る。誘導装置、およびホール、ローラー、スライド、またはトラック部材の構成および位置は、それらは要求された移動および密封の機能を提供するために配置されるので、重要ではない。
【００８９】
特に好ましい実施形態において、展開可能な壁１２は、好ましくは、浴槽筐体の側面全体を形成するので、典型的には、浴槽構成へと移動させられた場合に浴槽筐体を形成する。展開可能な壁１２の移動前には、典型的には筐体は一切なく、単に、多数の固定された壁部１１（および必要に応じてシャワースクリーン（単数または複数））、および、固定された壁部１１の１つに対する収納位置の展開可能な壁１２があるのみである。この位置では、展開可能な壁１２は、典型的には固定された壁部１１に対して密接し、所望の場合には容易に見ることも識別することも困難であり得る。この展開位置では、移動可能な性質の展開可能な壁はまた、すぐにはそれとわからない、さりげない見た目である。これは、特に、図１５および図１７で理解され得る。
【００９０】
本発明の固定されたおよび／または展開可能な壁は、任意のタイプまたは構成のものであり得る。たとえば、壁は、無垢のもの、中空のもの、化粧されたものであり得るか、または単に、透明または不透明なガラス、アクリル、ポリカーボネート、プラスチック、または目的に適した他の材料であり得るか、またはそれらを含み得る。
【００９１】
典型的には、透明でない壁によってまたはその中には、より多くのコンポーネントまたはメカニズムが隠されるか覆い隠されることができるので、さらなる許容範囲またはオプションとして、透明でない壁が提供される。
【００９２】
図１６に示すように壁の１つ以上がガラスから製造される場合には、本発明の一部として提供される任意のコンポーネントが通常、固定された端壁および／または床に接着または結合された取り付け部材および／または密封部材上に提供されうる。第２の実施形態によると、１つ以上の密封部材１７が、展開可能な壁がそれに対して密封し得る出入り口へと部分的に拡張するように、提供され得る。多くのユーザは審美的な目的でガラスの壁を選ぶので、これは典型的には、ガラスの壁を、ほぼ遮られないままにしておくと思われる。
【００９３】
図１５および図１７に示すように中空の壁が提供される場合、通常、壁は、フレームに貼付された適切な覆いを有するフレーム、または、成形された中空のフレームから形成されうる。典型的には、適切な覆いの１つの層は、おそらくはシャワーエリアにマッチした、審美的な仕上げを提供するためだけでなく、可能な限りしっかりと壁を防水加工するためにも、タイル、または同様の覆いでありうる。一実施形態では、展開可能な壁は、固定された壁にマッチするように、単に、何の覆いも有しない成形されたプラスチック壁であり得る。一般的に、固定された壁の上に何の覆いも提供されない場合には、展開可能な壁もまた、一貫した外観を有するために覆いを有しないだろうが、常にそうであるわけではない。
【００９４】
これはまた典型的に、展開可能な壁の取り付け器具に、その移動を容易にすることを可能にさせうる。さらに、提供される覆いは、図１７に示すように、ウォークインシャワーの残りのものに対し展開可能な壁をカモフラージュするために使用されることができ、展開可能な壁を見分けることは困難である。したがって、この図では、展開可能な壁は、展開可能な壁というよりもむしろシャワー内に提供された棚板のように見える。
【００９５】
図２０Ａは、展開可能な壁が、それが防護壁として出現する収納位置（図２０Ａに示す）、および、それが浴槽筐体を形成する展開状態（図２０Ｂに示す）から垂直に移動する、代替の実施形態を正面から見た立面図であり、矢印は移動の方向を示す。この実施形態は、展開可能な壁の移動を補助するための、上昇、降下、および／または誘導メカニズムを提供され得る。
【００９６】
代替の構成を図２１に示す。この構成は、図９に示した構成とほとんどの点で同様であるが、図９に示したように展開可能な壁１２が移動する代わりに、またはそれに加えて、図２１に示す実施形態は、ドアが、固定された壁部１１から展開可能な壁を切り離すために回転することなく、垂直に上昇させられることを可能にする。前述のように、図９および図２１のエレメントは、所望の場合には組み合わせられることができる。
【００９７】
本発明の代替の実施形態を図２２〜図２４に示す。この実施形態は、より小さな構成であり、理想的には、９００ｍｍ×９００ｍｍの構成または１２００ｍｍ×９００ｍｍの構成といったより小さな構成に適している。図２２に示すように、展開可能な壁は、典型的にはシャワーの固定された側壁から短い距離をあけて隣接するように位置する収納位置から、目張りまたは同等物が通常提供され、通常は略Ｌ字型である（が、任意の適切な形状であり得る）部材と展開可能な壁の縁端が衝合する展開位置まで、約９０°略垂直軸の周りを回転する、蝶番式に動かされる壁である。この構成はまた、展開可能であっても固定されていても、固定された壁１１と棚板座面３０のペアを含む。
【００９８】
この構成を図２３および図２４においてシャワーおよび浴槽構成でそれぞれ示す。図２３に示す構成では、棚板座面３０が、それがシャワーの実際の壁に対する位置である、収納状態で示されている。棚板座面３０は、図２２では展開状態で示されている。図２３および図２４における棚板は、常設の装備品であることができる。
【００９９】
本発明によって使用され得る代替の展開可能な壁の構成を図２５に示す。この構成において、展開可能な壁は、蝶番または旋回軸３３によって互いに対し蝶番式に動かされる２つのパネル３１および３２を有する２つのパネル壁であり、一方のパネル３１は、蝶番または旋回軸３３によって、隣接する固定された壁１１の一部に対しても蝶番式に動かされる。図２５において、展開可能な壁は、収納状態が実線で示され、部分的な展開状態が点線で示されている。展開可能な壁が左側の壁の右端から蝶番式に動かされるかまたは自由に開閉される状態で図示されているが、展開可能な壁は、開口のいずれの側からも蝶番式に動かされるかまたは自由に開閉されることができる。この実施形態はまた、開口１３を開閉するためにスライドするかまたは転がることによって展開されるアコーディオン式の壁であることもできる。
【０１００】
さらなる代替の展開可能な壁の構成を図２６Ａ〜図２６Ｃに示す。この構成では、単一の展開可能な壁パネル１２が、最初のおよびそのランナーまたは同等物で、固定された壁１１に対し取り付けられる。展開可能な壁パネル１２はまた、通常、床上のランナーで、その反対端に取り付けられる。これは、図２６Ａに示す展開可能な壁１２が、図２６Ｂに示す位置を経て、図２６Ｃに示す展開状態まで移動させられることを可能にする。
【０１０１】
図２７は、スクリーンまたはパネルが取り付けられ、パネルがシャワースクリーンを形成する収納状態と、それが開口を閉鎖して水を含有する筐体（点線で示す）を形成するために約９０度のところに位置するよう矢印によって示されている方向に回転させられた展開状態との間の、垂直平面における回転を可能にする、代替の実施形態である。この実施形態は特に、密封のためにパネルの一部をその中に受け入れる床および壁（単数または複数）における受け入れ溝の提供に適するが、それはまた、提供された隔壁に対する密封のために使用されることもできる。代替の構成では、２つのパネル、図示のごとくシャワーカーテンとして固定された第１のパネルと、第１のパネルに対応するが、回転によって展開可能である第２の展開可能なパネルが提供されうる。この代替の実施形態では、２つのパネルは、展開可能なパネルが浴槽筐体形成位置である場合には、コーナー部分で重なり、シャワー構成における場合には、それに対応して互いに重なる。
【０１０２】
本明細書および（もしあれば）請求項において、「備える（ｃｏｍｐｒｉｓｉｎｇ）」という用語、および、「備える（ｃｏｍｐｒｉｓｅｓ）」や「備える（ｃｏｍｐｒｉｓｅ）」を含むその派生語は、記載された完全体の各々を含むが、１つ以上のさらなる完全体を含むことを排除しない。
【０１０３】
本明細書全体における「一実施形態」または「実施形態」についての言及は、その実施形態に関連して説明された特定の特徴、構造、または特性が、本発明の少なくとも一実施形態に含まれることを意味する。したがって、本明細書全体におけるさまざまな箇所での「一実施形態において」または「実施形態において」という句の出現は、必ずしもすべてが同一の実施形態について言及しているわけではない。さらに、特定の特徴、構造、または特性は、任意の適切な手法で１つ以上組み合わせることができる。
【図１】
2015514445.tif 000003
【図２】
2015514445.tif 000004
【図３】
2015514445.tif 000005
【図４−５】
2015514445.tif 000006
【図６】
2015514445.tif 000007
【図７】
2015514445.tif 000008
【図８】
2015514445.tif 000009
【図９】
2015514445.tif 000010
【図１０】
2015514445.tif 000011
【図１１】
2015514445.tif 000012
【図１２】
2015514445.tif 000013
【図１３】
2015514445.tif 000014
【図１４】
2015514445.tif 000015
【図１５】
2015514445.tif 000016
【図１６】
2015514445.tif 000017
【図１７】
2015514445.tif 000018
【図１８】
2015514445.tif 000019
【図１９】
2015514445.tif 000020
【図２０Ａ】
2015514445.tif 000021
【図２０Ｂ】
2015514445.tif 000022
【図２１】
2015514445.tif 000023
【図２２】
2015514445.tif 000024
【図２３】
2015514445.tif 000025
【図２４】
2015514445.tif 000026
【図２５】
2015514445.tif 000027
【図２６Ａ】
2015514445.tif 000028
【図２６Ｂ】
2015514445.tif 000029
【図２６Ｃ】
2015514445.tif 000030
【図２７】
2015514445.tif 000031
【国際調査報告】
2015514445.tif 000032
2015514445.tif 000033
2015514445.tif 000034